(57)【要約】【課題】  商品画像の撮影からラベル作成までを一連の作業として、一つの装置を用いて容易に操作できる物品の画像表示ラベル作成装置を提供する。【解決手段】  物品を撮影して画像情報を生成する撮影手段と、物品に関する書誌的事項を入力する書誌的情報入力手段と、前記画像情報と書誌的情報とを同じ画像表示ラベルに形成する画像形成手段とを備えた物品の画像表示ラベル作成装置において、前記撮影手段は画像表示ラベル作成装置自体またはその付属品上に連結されたことを特徴とする物品の画像表示ラベル作成装置。【選択図】        図１
2009119795.tif 000002
【特許請求の範囲】
【請求項１】
物品を撮影して画像情報を生成する撮影手段と、物品に関する書誌的事項を入力する書誌的情報入力手段と、前記画像情報と書誌的情報とを同じ画像表示ラベルに形成する画像形成手段とを備えた物品の画像表示ラベル作成装置において、前記撮影手段は画像表示ラベル作成装置自体またはその付属品上に連結されたことを特徴とする物品の画像表示ラベル作成装置。
【請求項２】
前記画像形成手段が、書誌的情報と画像情報から画像表示ラベルの画像を合成するに際して、前記画像情報が画像表示ラベルの画像の範囲内に収まるように大きさを変更する自動調整手段を備えた請求項１に記載の物品の画像表示ラベル作成装置。
【請求項３】
前記画像形成手段が、書誌的情報と画像情報から画像表示ラベルの画像を合成するに際して、前記画像情報が画像表示ラベルの画像の範囲内に収まるように、画像情報を書誌的情報の下側に隠すオーバーレイ機能を備えた請求項２に記載の物品の画像表示ラベル作成装置。
【発明の詳細な説明】
【技術分野】
【０００１】
本発明は、売り場で平積みされトレーや箱、袋等の包装体内に収納される加工食品、青果物や魚介類等の農水産物、建材やねじ等の工業産品の画像を棚ラベルや値付けラベルの外表面に表示するための物品の画像表示ラベル作成装置に関する。
【背景技術】
【０００２】
従来、商品の陳列棚に商品の画像と、商品の値段、品目、品種、等級、数量、生産者名などの書誌的情報を表示した棚ラベルや値付ラベルを貼付して用いている。
【０００３】
このような物品の画像表示ラベルを作成するには、予め商品の写真がプレ印刷されたラベルに必要な書誌事項をラベルプリンタで印字して作成するか、電子式スチルカメラ等で撮影した商品の画像データをパソコンに取り込み、画像の大きさ、貼り付け位置等を調整、加工してカラープリンタで印刷していた（特許文献１）。
【特許文献１】特開平０７−０３７０００号公報
【発明の開示】
【発明が解決しようとする課題】
【０００４】
然るに上述した従来の技術では、撮影した商品の画像データをパソコンに取り込み、画像の大きさを調整したり、画像の周辺部分の不要箇所を切り取り（トリミング）したり、貼り付け位置等を調整する作業が繁雑で時間がかかり、タイムリーに商品陳列を行ったり、変更するのに不便であった。
【０００５】
本発明は上記従来技術の問題に鑑みなされたもので、本発明の目的は、商品画像の撮影からラベル作成までを一連の作業として、一つの装置を用いて容易に操作できる物品の画像表示ラベル作成装置を提供することにある。
【課題を解決するための手段】
【０００６】
上記課題を解決するため、第１の発明が採用する構成の特徴は、物品を撮影して画像情報を生成する撮影手段と、物品に関する書誌的事項を入力する書誌的情報入力手段と、前記画像情報と書誌的情報とを同じ画像表示ラベルに形成する画像形成手段とを備えた物品の画像表示ラベル作成装置において、前記撮影手段は画像表示ラベル作成装置自体またはその付属品上に連結されたことにある。
【０００７】
第二の発明では、前記画像形成手段が、書誌的情報と画像情報から画像表示ラベルの画像を合成するに際して、前記画像情報が画像表示ラベルの画像の範囲内に収まるように大きさを変更する自動調整手段を備えることができる。
【０００８】
第三の発明では、前記画像情報が画像表示ラベルの画像の範囲内に収まるように、画像情報を書誌的情報の下側に隠すオーバーレイ機能を備えることもできる。
【発明の効果】
【０００９】
本発明によれば、一つの装置を操作して、商品画像の撮影からラベル作成までが一連の作業として、容易に操作できる。
【００１０】
また、第二、第三の発明により、値付品の画像の編集作業を大幅に省略でき、値付品の画像表示ラベル作成を簡略化できる。
【発明を実施するための最良の形態】
【００１１】
図１〜図６は本発明の実施の形態を示す。
【００１２】
図１は、ラベルプリンタ１の概略の構成を示す構成図であり、該ラベルプリンタ１は、値付品の書誌的事項を入力する書誌的情報入力手段としての操作表示部２と、値付品を撮影する撮影手段としての電子式スチルカメラ３とを備え、前記電子式スチルカメラ３は自由雲台(ball head)を介してラベルプリンタ１に本体内接続されている。
【００１３】
前記操作表示部２には、キーボード、タブレット、ジョイスティックなどの書誌的情報入力部と撮影ボタン（いずれも不図示）、液晶ディスプレイパネルなどの表示部５が設けられ、表示部５には前記電子式スチルカメラ３で撮影した値付品８の画像情報７と前記書誌的情報入力部で入力した書誌的情報６とを同時に表示し、同じ棚ラベル９に形成するようになっている。
【００１４】
図２は、ラベルプリンタ１の操作手順を示すフローチャートであり、まず操作者は前記操作表示部２に書誌的事項の入力を行い、値付品８の撮影を行う（なお、この順序は逆でもよい）。
【００１５】
次いで、前記撮影で得られた値付品画像の、ラベルの枠罫線情報への嵌め込みを行う。
前記枠罫線は、ラベルプリンタ１で印刷が可能なラベル画像の最外縁と一致しており、画像情報の周辺部が前記枠罫線からはみ出した場合、このはみ出した部分は印刷がされないようになっている。
【００１６】
そして、前記画像嵌め込み方法は、操作表示部２の操作により、後述する２つの態様から選択可能になっており、枠罫線情報と書誌的情報と画像情報から画像表示ラベルの画像を合成し、画像ラベル９の印字を行う。
【００１７】
次に、図３ないし図６により、前記画像嵌め込み工程について説明する。
まず、図３および図４は第一の態様を示し、前記値付品の撮影工程において、値付品の画像情報１０がラベルプリンタ１内に取り込まれると、この画像情報１０が枠罫線５内に収まるように、画像の大きさを縦横等倍率で自動的に拡大縮小変更するものである。この方法によれば、画像の編集を書略しても画像を枠内の中央に余裕をもって表示できる。
【００１８】
一方、図５および図６は第二の態様を示し、前記値付品の撮影工程において、値付品の画像情報１０がラベルプリンタ１内に取り込まれると、この画像情報１０が枠罫線内に収まるように、画像情報を枠罫線情報の下側に隠すオーバーレイ機能を備えている。この方法によれば、不要な情報である画像周辺部のトリミングが省略できる利点がある。
【００１９】
なお、図３ないし図６中の符号１１は、オーバーレイとして画像１０上に表示可能な書誌的情報である。例えば画像１０が黒っぽい場合には白抜き文字で、画像１０が白っぽい時には黒文字で、画像上に書誌的情報を表示することができる。例えば図４では南瓜の画像１０の上に「無農薬有機栽培」の文字を表示しており、図６ではホタテ貝の画像１０の上に「刺身生食用」の文字を表示している。
【００２０】
尚、本発明の物品の画像表示ラベル作成装置は、上述の図示例にのみ限定されるものではなく、本発明の要旨を逸脱しない範囲内において種々変更を加え得ることは勿論である。
【産業上の利用可能性】
【００２１】
本発明の画像表示ラベル作成装置は、棚札や値付ラベル以外にも、素材と応用例（例えば、調理例や組立例）とか、製品と原材料の関係を画像表示して販売促進用ラベルの作成にも利用できる。
【図面の簡単な説明】
【００２２】
【図１】ラベルプリンタの概略構成図である。
【図２】ラベルプリンタの操作手順を示すフローチャート
【図３】画像嵌め込み行程の第一の態様を示す説明図である。
【図４】第一の画像嵌め込み態様により形成される画像ラベルのイメージ図である。
【図５】画像嵌め込み行程の第二の態様を示す説明図である。
【図６】第二の画像嵌め込み態様により形成される画像ラベルのイメージ図である。
【符号の説明】
【００２３】
１…ラベルプリンタ、２…操作表示部、３…電子式スチルカメラ（撮影手段）、４…自由雲台、６…書誌的情報、７…画像情報
【図１】
2009119795.tif 000003
【図２】
2009119795.tif 000004
【図３】
2009119795.tif 000005
【図４】
2009119795.tif 000006
【図５】
2009119795.tif 000007
【図６】
2009119795.tif 000008